(57)【特許請求の範囲】
【請求項１】
建物の床下空間に換気機能と空調機能とを有する換気空調装置が設置されており、
前記建物の床上空間に面して給気口と別の給気口と換気用排気口と空調用排気口とが設けられており、
前記換気空調装置は、前記建物の外側面に面して設けられた外気吸入口と連通するようにダクトを介して接続された外気吸込部と、前記建物の外側面に面して設けられた内気吐出口と連通するようにダクトを介して接続された内気吹出部と、前記換気用排気口と連通するようにダクトを介して接続された換気用吸込部と、前記空調用排気口と連通するようにダクトを介して接続された空調用吸込部と、前記床下空間に換気用の空気と床下空調用の空気とを吹出し可能な床下用吹出部と、前記給気口と連通するようにダクトを介して接続された床上用吹出部とを備え、
前記外気吸入口と前記外気吸入部との間の前記ダクト及び前記空調用排気口と前記空調用吸込部との間の前記ダクトの中継部又は前記換気空調装置の内部には、共通の空気清浄化手段が設けられており、
前記換気空調装置の内部又は外部には、該換気空調装置に有線又は無線で接続され、これを制御する制御部を備えているとともに、
前記別の給気口は、前記床上空間と前記床下空間との間を連通しており、前記床下用吹出部から吹き出される換気用の空気と床下空調用の空気とを前記床上空間側から前記床下空間側に吹出し可能であり、
前記床上用吹出部のみからの空気の吹出し、前記床下用吹出部のみからの空気の吹出し、及び前記床上用吹出部と前記床下用吹出部との両方からの空気の吹出しが可能であることを特徴とする換気空調システム。
【請求項２】
前記床下用吹出部から吹出し可能な床下空調用の空気は、床下冷房用の空気を除いた、送風用の空気及び床下暖房用の空気のみであることを特徴とする請求項１に記載の換気空調システム。
【請求項３】
前記換気空調装置は、換気用吹出部を備えていることを特徴とする請求項１又は２に記載の換気空調システム。
【請求項４】
前記建物の前記床上空間は、１階部分の空間と上階部分の空間とこれらの空間と隣り合う共有空間とに区画されており、前記１階部分の空間に面して前記給気口と床下空調用排気口とが設けられ、前記上階部分の空間に面して上階給気口が設けられ、前記共有空間に面して前記換気用排気口と前記空調用排気口とが設けられており、前記換気空調装置は、前記上階給気口と連通するようにダクトを介して接続された上階床上用吹出部と、前記床下空調用排気口と連通するようにダクトを介して接続された床下空調用吸込部とを備えているとともに、前記外気吸入口と前記外気吸入部との間の前記ダクト、前記空調用排気口と前記空調用吸込部との間の前記ダクト、及び前記床下空調用排気口と前記床下空調用吸込部との間の前記ダクトの中継部又は前記換気空調装置の内部には、共通の前記空気清浄化手段が設けられていることを特徴とする請求項１乃至３のいずれか１項に記載の換気空調システム。
【請求項５】
前記換気空調装置における前記床下用吹出部には、逆流防止弁が設けられていることを特徴とする請求項１乃至４のいずれか１項に記載の換気空調システム。
【請求項６】
前記空気清浄化手段は、フィルターボックスであることを特徴とする請求項１乃至５のいずれか１項に記載の換気空調システム。
【請求項７】
前記空気清浄化手段は、気液接触型の空気清浄装置であることを特徴とする請求項１乃至５のいずれか１項に記載の換気空調システム。
【請求項８】
前記換気空調装置は、ヒートポンプ式のエアコンディショナの屋内機であり、屋外に設置された屋外機と接続されていることを特徴とする請求項１乃至７のいずれか１項に記載の換気空調システム。
【請求項９】
前記床下空間は、前記建物の床と基礎底盤コンクリートと基礎側壁コンクリートとに囲まれているとともに、前記基礎側壁コンクリートには基礎断熱材が取り付けられていることを特徴とする請求項１乃至８のいずれか１項に記載の換気空調システム。
【請求項１０】
請求項１乃至９のいずれか１項に記載の換気空調システムを備えていることを特徴とする建物。
【発明の詳細な説明】
【技術分野】
【０００１】
本発明は、建物の換気空調システム及びこの換気空調システムを備えた建物に関するものである。
【背景技術】
【０００２】
従来から、建物の床上空間における換気と空調とを同時に行える換気空調システムが知られている（例えば、特許文献１等を参照）。
【先行技術文献】
【特許文献】
【０００３】
【特許文献１】特開２００９−２７６０４１号公報
【発明の概要】
【発明が解決しようとする課題】
【０００４】
しかしながら、特許文献１のような従来の換気空調システムでは、換気装置と空調装置とを別々に設置する複雑な構造であったため、フィルターを個別に取り替えなければならないなどのメンテナンスの煩雑さがあった。
【０００５】
そこで、本発明は、簡易な構造で、メンテナンスを容易に行うことができる換気空調システム及びこの換気空調システムを備えた建物を提供することを目的としている。
【課題を解決するための手段】
【０００６】
前記目的を達成するために、本発明の換気空調システムは、建物の床下空間に換気機能と空調機能とを有する換気空調装置が設置されており、前記建物の床上空間に面して給気口と換気用排気口と空調用排気口とが設けられており、前記換気空調装置は、前記建物の外側面に面して設けられた外気吸入口と連通するようにダクトを介して接続された外気吸込部と、前記建物の外側面に面して設けられた内気吐出口と連通するようにダクトを介して接続された内気吹出部と、前記換気用排気口と連通するようにダクトを介して接続された換気用吸込部と、前記空調用排気口と連通するようにダクトを介して接続された空調用吸込部と、床下用吹出部と、前記給気口と連通するようにダクトを介して接続された床上用吹出部とを備え、前記外気吸入口と前記外気吸入部との間の前記ダクト及び前記空調用排気口と前記空調用吸込部との間の前記ダクトの中継部又は前記換気空調装置の内部には、共通の空気清浄化手段が設けられており、前記換気空調装置の内部又は外部には、該換気空調装置に有線又は無線で接続され、これを制御する制御部を備えていることを特徴とする。
【０００７】
ここで、前記建物の前記床上空間に面して前記床下空間と連通する別の給気口が設けられているとよい。
【０００８】
また、前記換気空調装置は、換気用吹出部を備えていてもよい。
【０００９】
さらに、前記建物の前記床上空間は、１階部分の空間と上階部分の空間とこれらの空間と隣り合う共有空間とに区画されており、前記１階部分の空間に面して前記給気口と床下空調用排気口とが設けられ、前記上階部分の空間に面して上階給気口が設けられ、前記共有空間に面して前記換気用排気口と前記空調用排気口とが設けられており、前記換気空調装置は、前記上階給気口と連通するようにダクトを介して接続された上階床上用吹出部と、前記床下空調用排気口と連通するようにダクトを介して接続された床下空調用吸込部とを備えているとともに、前記外気吸入口と前記外気吸入部との間の前記ダクト、前記空調用排気口と前記空調用吸込部との間の前記ダクト、及び前記床下空調用排気口と前記床下空調用吸込部との間の前記ダクトの中継部又は前記換気空調装置の内部には、共通の前記空気清浄化手段が設けられていてもよい。
【００１０】
また、前記換気空調装置における前記床下用吹出部には、逆流防止弁が設けられているとよい。
【００１１】
また、前記空気清浄化手段は、フィルターボックスであってもよい。
【００１２】
また、前記空気清浄化手段は、気液接触型の空気清浄装置であってもよい。
【００１３】
さらに、前記換気空調装置は、ヒートポンプ式のエアコンディショナの屋内機であり、屋外に設置された屋外機と接続されているとよい。
【００１４】
また、前記床下空間は、前記建物の床と基礎底盤コンクリートと基礎側壁コンクリートとに囲まれているとともに、前記基礎側壁コンクリートには基礎断熱材が取り付けられているとよい。
【００１５】
本発明の建物は、上記した換気空調システムを備えていることを特徴とする。
【発明の効果】
【００１６】
このような本発明の換気空調システムは、建物の床下空間に換気機能と空調機能とを有する換気空調装置が設置されている。
【００１７】
そして、建物の床上空間に面して給気口と換気用排気口と空調用排気口とが設けられており、換気空調装置は、建物の外側面に面して設けられた外気吸入口と連通するようにダクトを介して接続された外気吸込部と、建物の外側面に面して設けられた内気吐出口と連通するようにダクトを介して接続された内気吹出部と、換気用排気口と連通するようにダクトを介して接続された換気用吸込部と、空調用排気口と連通するようにダクトを介して接続された空調用吸込部と、床下用吹出部と、給気口と連通するようにダクトを介して接続された床上用吹出部とを備えている。
【００１８】
そのうえで、外気吸入口と外気吸入部との間のダクト及び空調用排気口と空調用吸込部との間のダクトの中継部又は換気空調装置の内部には、共通の空気清浄化手段が設けられており、換気空調装置の内部又は外部には、換気空調装置に有線又は無線で接続され、これを制御する制御部を備えた構成とされている。
【００１９】
こうした構成なので、簡易な構造で実施でき、換気用の空気と空調用の空気とを清浄化する空気清浄化手段が共通であるため、メンテナンスを容易に行うことができる。
【００２０】
そのうえ、換気空調装置などが、床下空間に設置されているため、床上空間は、これらに占用されず、有効に利用することができ、意匠的外観も良い。
【００２１】
ここで、建物の床上空間に面して床下空間と連通する別の給気口が設けられている場合は、特に、床下用吹出部から吹き出される空気を床下空間内でスムーズに対流させて、床上空間を均一にムラなく暖める床下暖房を行うことができる。
【００２２】
また、換気空調装置は、換気用吹出部を備えている場合は、換気を行う換気系統と、空調を行う空調系統とが、換気空調装置内で完全に別系統となるので、換気用の空気の供給量と空調用の空気の供給量とを、高精度で調節することができ、制御性を高めることができる。
【００２３】
さらに、建物の床上空間は、１階部分の空間と上階部分の空間とこれらの空間と隣り合う共有空間とに区画されており、１階部分の空間に面して給気口と床下空調用排気口とが設けられ、上階部分の空間に面して上階給気口が設けられ、共有空間に面して換気用排気口と空調用排気口とが設けられており、換気空調装置は、上階給気口と連通するようにダクトを介して接続された上階床上用吹出部と、床下空調用排気口と連通するようにダクトを介して接続された床下空調用吸込部とを備えているとともに、外気吸入口と外気吸入部との間のダクト、空調用排気口と空調用吸込部との間のダクト、及び床下空調用排気口と床下空調用吸込部との間のダクトの中継部又は換気空調装置の内部には、共通の空気清浄化手段が設けられている場合は、上階部分の空間においても、１階部分の空間と略同様な換気空調を行うことができる。
【００２４】
また、換気空調装置における床下用吹出部には、逆流防止弁が設けられている場合は、床下用吹出部から空気を吹き出していない際に、この床下用吹出部からの空気の逆流を防止でき、この空気の逆流による換気空調装置の機能の低下や故障のおそれを低減することができる。
【００２５】
また、空気清浄化手段が、フィルターボックスである場合は、より簡易な構造で安価に実施することができる。
【００２６】
また、空気清浄化手段が、気液接触型の空気清浄装置である場合は、気液接触型の空気清浄装置がフィルターのかわりとなり、しかもフィルター交換の必要がないため、略メンテナンスフリーとなる。
【００２７】
さらに、換気空調装置は、ヒートポンプ式のエアコンディショナの屋内機であり、屋外に設置された屋外機と接続されている場合は、ヒートポンプを用いるため、省エネルギー性能に優れたものとすることができる。
【００２８】
また、床下空間は、建物の床と基礎底盤コンクリートと基礎側壁コンクリートとに囲まれているとともに、基礎側壁コンクリートには基礎断熱材が取り付けられている場合は、床下空間を断熱構造とするため、床下空間内の空気の熱を屋外に極力漏らすことなく、特に、エネルギー効率のよい床下暖房を行うことができる。
【００２９】
このような本発明の建物は、本発明の換気空調システムを備えた構成とされている。
【００３０】
こうした構成なので、上記した本発明の換気空調システムの効果を奏する建物とすることができる。
【図面の簡単な説明】
【００３１】
【図１】実施例１の換気空調システムを備えた建物の概略構成を説明する説明図である。
【図２】実施例１の換気空調装置の概略構成を示す説明図である。
【図３】実施例１の換気空調システムにおいて、換気運転を行った状態を示す説明図である。
【図４】実施例１の換気空調システムにおいて、即効性を有する暖房又は冷房の空調運転を行った状態を示す説明図である。
【図５】実施例１の換気空調システムにおいて、床下暖房の空調運転を行った状態を示す説明図である。
【図６】実施例１の換気空調システムにおいて、即効性を有する暖房及び床下暖房の空調運転を行った状態を示す説明図である。
【図７】実施例２の換気空調システムを備えた建物の概略構成を説明する説明図である。
【図８】実施例２の換気空調装置の概略構成を示す説明図である。
【発明を実施するための形態】
【００３２】
以下、本発明を実施するための形態を、図面に示す実施例１，２に基づいて説明する。
【実施例１】
【００３３】
先ず、実施例１の構成について説明する。
【００３４】
図１は、実施例１の換気空調システムを備えた建物１の概略構成を示している。
【００３５】
まず、このような建物１は、基礎断熱として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００３６】
そして、この天井部１ｅと外壁部１ｄとに囲まれる空間は、１階部分の床としての床部１ａによって床下空間４と床上空間５とが区切られている。
【００３７】
さらに、床上空間５は、中間壁１ｆと２階部分の床としての床部１ｇとが設けられており、１階部分の空間としての１階居室空間５１と、上階部分の空間としての２階居室空間５２と、共有空間としての階段スペース５３とに区画され、２階建ての建物とされている。
【００３８】
なお、建物１内の空間配置が分かり易いように、階段スペース５３における階段の図示は省略した。
【００３９】
ここで、共有空間としての階段スペース５３と１階居室空間５１との間の中間壁１ｆには、出入口としてのドア５１ａが設けられており、このドア５１ａの下側と床部１ａとの間には、１階換気空調用排気口としての隙間６１が設けられている。
【００４０】
また、共有空間としての階段スペース５３と２階居室空間５２との間の中間壁１ｆには、出入口としてのドア５２ａが設けられており、このドア５２ａの下側と床部１ｇとの間には、上階換気空調用排気口としての隙間６２が設けられている。
【００４１】
さらに、基礎側壁コンクリート１ｃの床下空間４側には、基礎断熱材１８が貼り付けられており、床下空間４内の空気の熱が屋外に極力漏れない断熱構造となっている。
【００４２】
なお、この基礎断熱材１８としては、グラスウールなどが好適に用いられる。
【００４３】
そして、この実施例１の換気空調システムでは、床下空間４に換気空調装置としてのエアコンディショナの屋内機３が設置されている。
【００４４】
この換気空調装置としてのエアコンディショナの屋内機３は、冷暖房機能、送風機能、及び除湿機能を有している。
【００４５】
ここで、この換気空調装置としてのエアコンディショナの屋内機３は、ヒートポンプ式であり、建物１の屋外に設置された屋外機２と接続されている。
【００４６】
また、エアコンディショナの屋内機３の内部には、屋外機２に繋がっている熱媒循環管路２１が接続されている。
【００４７】
さらに、このエアコンディショナの屋内機３は、図２に示したように、その内部が、換気供給用兼空調用空間３Ａと、換気排気用空間３Ｂとに区画されている。
【００４８】
ここで、エアコンディショナの屋内機３における換気供給用兼空調用空間３Ａと、換気排気用空間３Ｂとは、空気の流れが逆方向とされ、上流側と下流側とが逆になっている。
【００４９】
そして、エアコンディショナの屋内機３における換気供給用兼空調用空間３Ａの上流側に、外気吸込部３１と、床下空調用吸込部３２と、空調用吸込部３３とを備えている。
【００５０】
また、エアコンディショナの屋内機３における換気供給用兼空調用空間３Ａの下流側には、強制吹出手段としてのファン８がそれぞれ設けられた床下用吹出部３４と、床上用吹出部３５と、上階床上用吹出部３６とを備えている。
【００５１】
ここで、床下用吹出部３４には、逆流防止弁３４ａが設けられている。
【００５２】
さらに、エアコンディショナの屋内機３における換気供給用兼空調用空間３Ａ内には、熱交換器３ｂが設けられており、上流側の空間と下流側の空間とに仕切られている。
【００５３】
なお、図示は省略したが、この熱交換器３ｂに屋外機２からの熱媒循環管路２１が接続されている。
【００５４】
また、エアコンディショナの屋内機３における換気排気用空間３Ｂは、その上流側に、換気用吸込部３７を備え、その下流側には、内気吹出部３８を備えているとともに、これらの間に、強制吹出手段としてのファン８が設けられている。
【００５５】
ここで、エアコンディショナの屋内機３における換気供給用兼空調用空間３Ａの上流側の空間と、換気排気用空間３Ｂとの間は、熱交換素子から成る仕切り材９で仕切られている。
【００５６】
なお、この熱交換素子から成る仕切り材９としては、換気排気用空間３Ｂ内の汚れた空気が換気供給用兼空調用空間３Ａ内へ流入して清浄化された空気が汚染されないように、熱伝導性の高い金属板などの非通気性のものが好適に用いられる。
【００５７】
また、図１に示したように、建物１における外壁部１ｄには、外気吸入口１０と、内気吐出口１１とが設けられている。
【００５８】
さらに、建物１における１階部分の空間としての１階居室空間５１の床部１ａには、グリル付きの給気口１２と、床下空間４と連通するグリル付きの別の給気口１３と、グリル付きの床下空調用排気口１４とが設けられている。
【００５９】
また、建物１における上階部分の空間としての２階居室空間５２の床部１ｇには、グリル付きの上階給気口１５が設けられている。
【００６０】
さらに、建物１における共有空間としての階段スペース５３の床部１ａには、グリル付きの換気用排気口１６と、グリル付きの空調用排気口１７とが設けられている。
【００６１】
そして、換気空調装置としてのエアコンディショナの屋内機３の外気吸込部３１と外気吸入口１０との間は、ダクト７１を介して接続されている。
【００６２】
また、床下空調用吸込部３２と床下空調用排気口１４との間は、ダクト７２を介して接続されている。
【００６３】
さらに、空調用吸込部３３と空調用排気口１７との間は、ダクト７３を介して接続されている。
【００６４】
そのうえで、ダクト７１，７２，７３の中継部に、空気清浄化手段としてのフィルターボックス１９が設けられている。
【００６５】
そして、換気空調装置としてのエアコンディショナの屋内機３の床上用吹出部３５と給気口１２との間は、ダクト７４を介して接続されている。
【００６６】
また、上階床上用吹出部３６と上階給気口１５との間は、ダクト７５を介して接続されている。
【００６７】
なお、このダクト７５の下側部分は、他のダクトと同様、床下空間４に配設されているが、上側部分は、中間壁１ｆ内と２階部分の床としての床部１ｇ内とに配設されている。
【００６８】
そして、換気空調装置としてのエアコンディショナの屋内機３の換気用吸込部３７と換気用排気口１６との間は、ダクト７６を介して接続されている。
【００６９】
また、内気吹出部３８と内気吐出口１１との間は、ダクト７７を介して接続されている。
【００７０】
そして、換気空調装置としてのエアコンディショナの屋内機３には、図１に示したように、このエアコンディショナの屋内機３に有線又は無線で接続され、これを制御する制御部３ａが内蔵されている。
【００７１】
さらに、床上空間５には、この実施例１の換気空調システムを所望の運転パターンに設定するための図示省略のコントローラが設けられている。
【００７２】
そして、このコントローラから有線又は無線で、制御部３ａへ設定信号が送信され、換気空調装置としてのエアコンディショナの屋内機３が、その設定信号に基づいて制御される。
【００７３】
次に、実施例１の換気空調システムの運転パターンについて説明する。
【００７４】
なお、図３〜図６では、換気用の空気の流れを黒矢印で示し、空調用の空気の流れは白抜矢印で示し、床下空調用の空気の熱の伝わりは点線矢印で示して説明する。
【００７５】
まず、換気運転時のパターンについて説明する。
【００７６】
建物１の床上空間５内の換気運転は、現在では、連続的であるか間欠的であるかにかかわらず、必ず行わなくてはならないものである。
【００７７】
この換気運転時は、制御部３ａは、換気空調装置としてのエアコンディショナの屋内機３の外気吸込部３１から換気用の空気を吸い込み、床上用吹出部３５及び上階床上用吹出部３６から換気用の空気を吹き出し、換気用吸込部３７から排気された換気用の空気を吸い込み、それを内気吹出部３８から吹き出す制御を行う。
【００７８】
このように制御を行うと、図３に示したように、外気吸入口１０から吸入された換気用の空気（外気）は、ダクト７１を通って、中継部のフィルターボックス１９により清浄化され、エアコンディショナの屋内機３の外気吸込部３１から吸い込まれる。
【００７９】
ここで、床上用吹出部３５から吹き出された換気用の空気は、ダクト７４を通って、給気口１２から１階居室空間５１へ給気される。
【００８０】
そして、１階居室空間５１内を換気した後、１階換気空調用排気口としてのドア５１ａの隙間６１から共有空間としての階段スペース５３へ排気され、階段スペース５３も換気した後、換気用排気口１６からダクト７６を通って、換気用吸込部３７から吸い込まれてから内気吹出部３８から吹き出され、ダクト７７を通って、内気吐出口１１から建物１の屋外へ排気される。
【００８１】
また、上階床上用吹出部３６から吹き出された換気用の空気は、ダクト７５を通って、上階給気口１５から２階居室空間５２へ給気される。
【００８２】
そして、２階居室空間５２内を換気した後、２階換気空調用排気口としてのドア５２ａの隙間６２から共有空間としての階段スペース５３へ排気され、階段スペース５３も換気した後、１階居室空間５１を換気した換気用の空気とともに、換気用排気口１６からダクト７６を通って、換気用吸込部３７から吸い込まれてから内気吹出部３８から吹き出され、ダクト７７を通って、内気吐出口１１から建物１の屋外へ排気される。
【００８３】
すなわち、この循環を繰り返す。
【００８４】
次に、暖房を行う際の換気空調運転時のパターンについて説明する。
【００８５】
まず、床上空間５を、即効性を有する暖房のみで暖めたいときは、制御部３ａは、換気空調装置としてのエアコンディショナの屋内機３の外気吸込部３１から換気用の空気を吸い込み、床上用吹出部３５及び上階床上用吹出部３６から換気用の空気及び空調用の空気を吹き出し、換気用吸込部３７から排気された換気用の空気を吸い込み、それを内気吹出部３８から吹き出すとともに、空調用吸込部３３から空調用の空気を吸い込む制御を行う。
【００８６】
このように制御を行うと、図４に示したように、外気吸入口１０から吸入された換気用の空気（外気）は、ダクト７１を通って、中継部のフィルターボックス１９により清浄化され、エアコンディショナの屋内機３の外気吸込部３１から吸い込まれるとともに、空調用排気口１７から吸い込まれた空調用の空気（暖気）は、ダクト７３を通って、中継部のフィルターボックス１９により清浄化され、エアコンディショナの屋内機３の空調用吸込部３３から吸い込まれる。
【００８７】
ここで、床上用吹出部３５から吹き出された換気用の空気及び空調用の空気は、ダクト７４を通って、給気口１２から１階居室空間５１へ給気される。
【００８８】
そして、１階居室空間５１内を換気空調した後、１階換気空調用排気口としてのドア５１ａの隙間６１から共有空間としての階段スペース５３へ排気され、階段スペース５３も換気空調した後、換気用の空気相当分の空気は、換気用排気口１６からダクト７６を通って、換気用吸込部３７から吸い込まれてから内気吹出部３８から吹き出され、ダクト７７を通って、内気吐出口１１から建物１の屋外へ排気されるとともに、空調用の空気相当分の空気は、空調用排気口１７からダクト７３内へ排気される。
【００８９】
さらに、上階床上用吹出部３６から吹き出された換気用の空気及び空調用の空気（暖気）は、ダクト７５を通って、上階給気口１５から２階居室空間５２へ給気される。
【００９０】
そして、２階居室空間５２内を換気空調した後、２階換気空調用排気口としてのドア５２ａの隙間６２から共有空間としての階段スペース５３へ排気され、１階居室空間５１を換気空調した後の換気用の空気及び空調用の空気とともに階段スペース５３も換気空調した後、換気用の空気相当分の空気は、１階居室空間５１の換気用の空気相当分の空気とともに、換気用排気口１６からダクト７６を通って、換気用吸込部３７から吸い込まれてから内気吹出部３８から吹き出され、ダクト７７を通って、内気吐出口１１から建物１の屋外へ排気されるとともに、空調用の空気相当分の空気は、１階居室空間５１の空調用の空気相当分の空気とともに、空調用排気口１７からダクト７３内へ排気される。
【００９１】
すなわち、この循環を繰り返す。
【００９２】
次に、床上空間５を、床下暖房のみで暖めたいときは、制御部３ａは、換気空調装置としてのエアコンディショナの屋内機３の外気吸込部３１から換気用の空気を吸い込み、床下用吹出部３４及び上階床上用吹出部３６から換気用の空気及び空調用の空気を吹き出し、換気用吸込部３７から排気された換気用の空気を吸い込み、それを内気吹出部３８から吹き出すとともに、床下空調用吸込部３２から床下空調用の空気を吸い込む制御を行う。
【００９３】
このように制御を行うと、図５に示したように、外気吸入口１０から吸入された換気用の空気（外気）は、ダクト７１を通って、中継部のフィルターボックス１９により清浄化され、エアコンディショナの屋内機３の外気吸込部３１から吸い込まれるとともに、床下空調用排気口１４から吸い込まれた床下空調用の空気（暖気）は、ダクト７２を通って、中継部のフィルターボックス１９により清浄化され、エアコンディショナの屋内機３の床下空調用吸込部３２から吸い込まれる。
【００９４】
ここで、床下用吹出部３４から吹き出された換気用の空気及び床下空調用の空気（暖気）は、主に床下空間４内を対流し、その熱は、床部１ａを介して床上空間５へ伝達され、床上空間５を均一にムラなく暖めるとともに、吹き出しにより床下空間４を溢れた換気用の空気及び床下空調用の空気が、別の給気口１３から１階居室空間５１へ給気される。
【００９５】
そして、１階居室空間５１内を換気空調した後、床下用吹出部３４から吹き出された床下空調用の空気相当分の空気は、床下空調用排気口１４からダクト７２へ排気され、残りの換気用の空気相当分の空気は、１階換気空調用排気口としてのドア５１ａの隙間６１から共有空間としての階段スペース５３へ排気され、階段スペース５３も換気した後、換気用排気口１６からダクト７６を通って、換気用吸込部３７から吸い込まれてから内気吹出部３８から吹き出され、ダクト７７を通って、内気吐出口１１から建物１の屋外へ排気される。
【００９６】
さらに、上階床上用吹出部３６から吹き出された換気用の空気は、ダクト７５を通って、上階給気口１５から２階居室空間５２へ給気される。
【００９７】
そして、２階居室空間５２内を換気した後、２階換気空調用排気口としてのドア５２ａの隙間６２から共有空間としての階段スペース５３へ排気され、１階居室空間５１を換気した後の床下空調用の空気相当分の空気を除いた換気用の空気とともに階段スペース５３も換気した後、１階居室空間５１の換気用の空気相当分の空気とともに、換気用排気口１６からダクト７６を通って、換気用吸込部３７から吸い込まれてから内気吹出部３８から吹き出され、ダクト７７を通って、内気吐出口１１から建物１の屋外へ排気される。
【００９８】
すなわち、この循環を繰り返す。
【００９９】
次に、床上空間５を、即効性を有する暖房と床下暖房との両方で暖めたいときは、制御部３ａは、換気空調装置としてのエアコンディショナの屋内機３の外気吸込部３１から換気用の空気を吸い込み、床下用吹出部３４、床上用吹出部３５及び上階床上用吹出部３６から換気用の空気及び空調用の空気を吹き出し、換気用吸込部３７から排気された換気用の空気を吸い込み、それを内気吹出部３８から吹き出すとともに、床下空調用吸込部３２から床下空調用の空気を吸い込み、空調用吸込部３３から空調用の空気を吸い込む制御を行う。
【０１００】
このように制御を行うと、図６に示したように、外気吸入口１０から吸入された換気用の空気（外気）は、ダクト７１を通って、中継部のフィルターボックス１９により清浄化され、エアコンディショナの屋内機３の外気吸込部３１から吸い込まれるとともに、床下空調用排気口１４及び空調用排気口１７から吸い込まれた床下空調用の空気（暖気）及び空調用の空気（暖気）は、ダクト７２，７３をそれぞれ通って、中継部のフィルターボックス１９により清浄化され、エアコンディショナの屋内機３の床下空調用吸込部３２及び空調用吸込部３３からそれぞれ吸い込まれる。
【０１０１】
ここで、床上用吹出部３５から吹き出された換気用の空気及び空調用の空気は、ダクト７４を通って、給気口１２から１階居室空間５１へ給気される。
【０１０２】
また、床下用吹出部３４から吹き出された換気用の空気及び床下空調用の空気（暖気）は、主に床下空間４内を対流し、その熱は、床部１ａを介して床上空間５へ伝達され、床上空間５を均一にムラなく暖めるとともに、吹き出しにより床下空間４を溢れた換気用の空気及び床下空調用の空気が、別の給気口１３から１階居室空間５１へ給気される。
【０１０３】
そして、１階居室空間５１内を換気空調した後、床下用吹出部３４から吹き出された床下空調用の空気相当分の空気は、床下空調用排気口１４からダクト７２へ排気され、残りの空気は、１階換気空調用排気口としてのドア５１ａの隙間６１から共有空間としての階段スペース５３へ排気され、階段スペース５３も換気空調した後、換気用の空気相当分の空気は、換気用排気口１６からダクト７６を通って、換気用吸込部３７から吸い込まれてから内気吹出部３８から吹き出され、ダクト７７を通って、内気吐出口１１から建物１の屋外へ排気されるとともに、空調用の空気相当分の空気は、空調用排気口１７からダクト７３内へ排気される。
【０１０４】
さらに、上階床上用吹出部３６から吹き出された換気用の空気及び空調用の空気（暖気）は、ダクト７５を通って、上階給気口１５から２階居室空間５２へ給気される。
【０１０５】
そして、２階居室空間５２内を換気空調した後、２階換気空調用排気口としてのドア５２ａの隙間６２から共有空間としての階段スペース５３へ排気され、１階居室空間５１を換気空調した後の床下空調用の空気相当分の空気を除いた換気用の空気及び空調用の空気とともに階段スペース５３も換気空調した後、換気用の空気相当分の空気は、１階居室空間５１の換気用の空気相当分の空気とともに、換気用排気口１６からダクト７６を通って、換気用吸込部３７から吸い込まれてから内気吹出部３８から吹き出され、ダクト７７を通って、内気吐出口１１から建物１の屋外へ排気されるとともに、空調用の空気相当分の空気は、１階居室空間５１の空調用の空気相当分の空気とともに、空調用排気口１７からダクト７３内へ排気される。
【０１０６】
すなわち、この循環を繰り返す。
【０１０７】
次に、冷房を行う際の換気空調運転時のパターンについて説明する。
【０１０８】
床上空間５を、冷房で冷やしたいときは、制御部３ａは、換気空調装置としてのエアコンディショナの屋内機３の外気吸込部３１から換気用の空気を吸い込み、床上用吹出部３５及び上階床上用吹出部３６から換気用の空気及び空調用の空気を吹き出し、換気用吸込部３７から排気された換気用の空気を吸い込み、それを内気吹出部３８から吹き出すとともに、空調用吸込部３３から空調用の空気を吸い込む制御を行う。
【０１０９】
このように制御を行うと、図４に示したように、外気吸入口１０から吸入された換気用の空気（外気）は、ダクト７１を通って、中継部のフィルターボックス１９により清浄化され、エアコンディショナの屋内機３の外気吸込部３１から吸い込まれるとともに、空調用排気口１７から吸い込まれた空調用の空気（冷気）は、ダクト７３を通って、中継部のフィルターボックス１９により清浄化され、エアコンディショナの屋内機３の空調用吸込部３３から吸い込まれる。
【０１１０】
ここで、床上用吹出部３５から吹き出された換気用の空気及び空調用の空気は、ダクト７４を通って、給気口１２から１階居室空間５１へ給気される。
【０１１１】
そして、１階居室空間５１内を換気空調した後、１階換気空調用排気口としてのドア５１ａの隙間６１から共有空間としての階段スペース５３へ排気され、階段スペース５３も換気空調した後、換気用の空気相当分の空気は、換気用排気口１６からダクト７６を通って、換気用吸込部３７から吸い込まれてから内気吹出部３８から吹き出され、ダクト７７を通って、内気吐出口１１から建物１の屋外へ排気されるとともに、空調用の空気相当分の空気は、空調用排気口１７からダクト７３内へ排気される。
【０１１２】
さらに、上階床上用吹出部３６から吹き出された換気用の空気及び空調用の空気（冷気）は、ダクト７５を通って、上階給気口１５から２階居室空間５２へ給気される。
【０１１３】
そして、２階居室空間５２内を換気空調した後、２階換気空調用排気口としてのドア５２ａの隙間６２から共有空間としての階段スペース５３へ排気され、１階居室空間５１を換気空調した後の換気用の空気及び空調用の空気とともに階段スペース５３も換気空調した後、換気用の空気相当分の空気は、１階居室空間５１の換気用の空気相当分の空気とともに、換気用排気口１６からダクト７６を通って、換気用吸込部３７から吸い込まれてから内気吹出部３８から吹き出され、ダクト７７を通って、内気吐出口１１から建物１の屋外へ排気されるとともに、空調用の空気相当分の空気は、１階居室空間５１の空調用の空気相当分の空気とともに、空調用排気口１７からダクト７３内へ排気される。
【０１１４】
すなわち、この循環を繰り返す。
【０１１５】
次に、実施例１の作用効果について説明する。
【０１１６】
このような実施例１の換気空調システムは、建物１の床下空間４に換気機能と空調機能とを有する換気空調装置としてのエアコンディショナの屋内機３が設置されている。
【０１１７】
そして、床上空間５の床部１ａに給気口１２と換気用排気口１６と空調用排気口１７とが設けられている。
【０１１８】
また、エアコンディショナの屋内機３は、建物１の外壁部１ｄに設けられた外気吸入口１０と連通するようにダクト７１を介して接続された外気吸込部３１と、外壁部１ｄに設けられた内気吐出口１１と連通するようにダクト７７を介して接続された内気吹出部３８と、換気用排気口１６と連通するようにダクト７６を介して接続された換気用吸込部３７と、空調用排気口１７と連通するようにダクト７３を介して接続された空調用吸込部３３と、床下用吹出部３４と、給気口１２と連通するようにダクト７４を介して接続された床上用吹出部３５とを備えている。
【０１１９】
そのうえで、外気吸入口１０と外気吸入部３１との間のダクト７１及び空調用排気口１７と空調用吸込部３３との間のダクト７３の中継部には、共通の空気清浄化手段としてのフィルターボックス１９が設けられており、エアコンディショナの屋内機３の内部には、これを制御する制御部３ａを備えた構成とされている。
【０１２０】
こうした構成なので、簡易な構造で実施でき、換気用の空気と空調用の空気とを清浄化する空気清浄化手段としてのフィルターボックス１９が共通であるため、メンテナンスを容易に行うことができる。
【０１２１】
そのうえ、換気空調装置としてのエアコンディショナの屋内機３などが、床下空間４に設置されているため、床上空間５は、これらに占用されず、有効に利用することができ、意匠的外観も良い。
【０１２２】
ここで、建物１の床上空間５の１階部分の床としての床部１ａに、床下空間４と連通する別の給気口１３が設けられている。
【０１２３】
このため、特に、床下用吹出部３４から吹き出される空気を床下空間４内でスムーズに対流させて、床上空間５を均一にムラなく暖める床下暖房を行うことができる。
【０１２４】
また、建物１の床上空間５は、１階部分の空間としての１階居室空間５１と上階部分の空間としての２階居室空間５２とこれらの空間５１，５２と隣り合う共有空間としての階段スペース５３とに区画されている。
【０１２５】
そして、１階居室空間５１の床部１ａに給気口１２と床下空調用排気口１４とが設けられ、２階居室空間５２の床部１ｇに上階給気口１５が設けられ、階段スペース５３の床部１ａに換気用排気口１６と空調用排気口１７とが設けられており、換気空調装置としてのエアコンディショナの屋内機３は、上階給気口１５と連通するようにダクト７５を介して接続された上階床上用吹出部３６と、床下空調用排気口１４と連通するようにダクト７２を介して接続された床下空調用吸込部３２とを備えている。
【０１２６】
そのうえで、外気吸入口１０と外気吸入部３１との間のダクト７１、空調用排気口１７と空調用吸込部３３との間のダクト７３、及び床下空調用排気口１４と床下空調用吸込部３２との間のダクト７２の中継部には、共通の空気清浄化手段としてのフィルターボックス１９が設けられている。
【０１２７】
このため、上階部分の空間としての２階居室空間５２においても、１階部分の空間としての１階居室空間５１と略同様な換気空調を行うことができる。
【０１２８】
また、換気空調装置としてのエアコンディショナの屋内機３における床下用吹出部３４には、逆流防止弁３４ａが設けられている。
【０１２９】
このため、床下用吹出部３４から空気を吹き出していない際に、この床下用吹出部３４からの空気の逆流を防止でき、この空気の逆流によるエアコンディショナの屋内機３の機能の低下や故障のおそれを低減することができる。
【０１３０】
また、空気清浄化手段としては、フィルターボックス１９が用いられている。
【０１３１】
このため、より簡易な構造で安価に実施することができる。
【０１３２】
また、換気空調装置としてのエアコンディショナの屋内機３は、ヒートポンプ式であり、屋外に設置された屋外機２に接続されている。
【０１３３】
このため、ヒートポンプを用いるので、省エネルギー性能に優れたものとすることができる。
【０１３４】
さらに、床下空間４は、建物１の床としての床部１ａと基礎底盤コンクリート１ｂと基礎側壁コンクリート１ｃとに囲まれているとともに、基礎側壁コンクリート１ｃには基礎断熱材１８が取り付けられている。
【０１３５】
このため、床下空間４を断熱構造とするため、床下空間４内の空気の熱を屋外に極力漏らすことなく、特に、エネルギー効率のよい床下暖房を行うことができる。
【０１３６】
このような実施例１の建物１は、実施例１の換気空調システムを備えた構成とされている。
【０１３７】
このような構成なので、上記した実施例１の換気空調システムの作用効果を奏する建物とすることができる。
【実施例２】
【０１３８】
次に、実施例２について説明する。
【０１３９】
なお、実施例１で説明した内容と同一乃至均等な部分の説明については同一符号を付して説明する。
【０１４０】
図７は、実施例２の換気空調システムを備えた建物１Ａの概略構成を示している。
【０１４１】
この実施例２の換気空調装置としてのエアコンディショナの屋内機３０では、下流側に、換気用吹出部３９を追加して備えており、この換気用吹出部３９に設けられた分岐チャンバ２０Ａと、上階給気口１５と上階床上用吹出部３６とを接続するダクト７５に設けられた分岐チャンバ２０Ｂとの間に、ダクト７８が接続されている。
【０１４２】
また、このエアコンディショナの屋内機３０は、図８に示したように、その内部が、空調用空間３０Ａと、換気供給用空間３０Ｂと、換気排気用空間３０Ｃとに区画されている。
【０１４３】
ここで、エアコンディショナの屋内機３０における空調用空間３０Ａと、換気供給用空間３０Ｂとは、空気の流れが同一方向とされ、上流側と下流側とが同一になっており、換気排気用空間３０Ｃのみ、空気の流れが逆方向とされ、上流側と下流側とが逆になっている。
【０１４４】
そして、エアコンディショナの屋内機３０における空調用空間３０Ａの上流側に、床下空調用吸込部３２と、空調用吸込部３３とを備えている。
【０１４５】
また、エアコンディショナの屋内機３０における空調用空間３０Ａの下流側には、強制吹出手段としてのファン８がそれぞれ設けられた床下用吹出部３４と、床上用吹出部３５と、上階床上用吹出部３６とを備えている。
【０１４６】
さらに、エアコンディショナの屋内機３０における換気供給用空間３０Ｂは、その上流側に、外気吸込部３１を備え、その下流側には、換気用吹出部３９を備えているとともに、これらの間に、強制吹出手段としてのファン８が設けられている。
【０１４７】
また、エアコンディショナの屋内機３０における換気排気用空間３０Ｃは、その上流側に、換気用吸込部３７を備え、その下流側には、内気吹出部３８を備えているとともに、これらの間に、強制吹出手段としてのファン８が設けられている。
【０１４８】
ここで、エアコンディショナの屋内機３０における換気供給用空間３０Ｂと換気排気用空間３０Ｃとの間は、熱交換素子から成る仕切り材９０で仕切られている。
【０１４９】
なお、この熱交換素子から成る仕切り材９０としては、換気排気用空間３０Ｃ内の汚れた空気が換気供給用空間３０Ｂ内へ流入して清浄化された空気が汚染されないように、熱伝導性の高い金属板などの非通気性のものが好適に用いられる。
【０１５０】
すなわち、この実施例２の換気空調システムでは、換気を行う換気系統と、空調を行う空調系統とが、換気空調装置としてのエアコンディショナの屋内機３０内で完全に別系統となるので、換気用の空気の供給量と空調用の空気の供給量とを、高精度で調節することができ、制御性を高めることができることが、実施例１の換気空調システムと主に異なる。
【０１５１】
なお、他の構成及び作用効果については、実施例１と略同様であるので説明を省略する。
【０１５２】
以上、図面を参照して、本発明を実施するための形態を実施例１，２に基づいて詳述してきたが、具体的な構成は、これら実施例１，２に限らず、本発明の要旨を逸脱しない程度の設計的変更は、本発明に含まれる。
【０１５３】
例えば、上記した実施例１，２では、本発明の換気空調システムの説明を簡単に行えるように、建物１の構造などを単純化したが、これに限定されず、３階以上のより複雑な建物などにおいて実施してもよい。
【０１５４】
また、上記した実施例１，２では、空気清浄化手段としてのフィルターボックス１９を換気空調装置としてのエアコンディショナの屋内機３，３０の外部に設けて実施したが、これに限定されず、内部に設けて実施してもよい。
【０１５５】
さらに、上記した実施例１，２では、空気清浄化手段として、フィルターボックス１９を用いて実施したが、これに限定されず、例えば、気液接触型の空気清浄装置（エアワッシャー）を用いて実施してもよい。
【０１５６】
このように空気清浄化手段として、気液接触型の空気清浄装置を用いた場合、気液接触型の空気清浄装置がフィルターのかわりとなり、しかもフィルター交換の必要がないため、略メンテナンスフリーとなる。
【０１５７】
また、上記した実施例１，２では、共有空間を階段スペース５３として実施したが、これに限定されず、共有空間を吹き抜け空間などとして実施してもよい。
【０１５８】
さらに、上記した実施例１，２では、制御部３ａを、換気空調装置としてのエアコンディショナの屋内機３，３０の内部に設けて実施したが、これに限定されず、エアコンディショナの屋内機３，３０の外部に設けて実施してもよい。
【０１５９】
また、上記した実施例２では、換気用吹出部３９による１階居室空間５１の換気は、床下空間４への吹き出しで行うようにして実施したが、これに限定されない。
【０１６０】
すなわち、換気用吹出部３９を、ダクト７５との間と同様、ダクト７４との間もダクトで接続して実施してもよい。
【符号の説明】
【０１６１】
１      建物
１Ａ    建物
１ａ    床部（１階部分の床）
１ｂ    基礎底盤コンクリート
１ｃ    基礎側壁コンクリート（建物の外周の基礎）
１ｄ    外壁部
１ｅ    天井部
１ｆ    中間壁
１ｇ    床部（２階部分の床）
２      エアコンディショナの屋外機
２１    熱媒循環管路
３      エアコンディショナの屋内機（換気空調装置）
３０    エアコンディショナの屋内機（換気空調装置）
３ａ    制御部
３ｂ    熱交換器
３Ａ    換気供給用兼空調用空間
３Ｂ    換気排気用空間
３０Ａ  空調用空間
３０Ｂ  換気供給用空間
３０Ｃ  換気排気用空間
３１    外気吸込部
３２    床下空調用吸込部
３３    空調用吸込部
３４    床下用吹出部
３４ａ  逆流防止弁
３５    床上用吹出部
３６    上階床上用吹出部
３７    換気用吸込部
３８    内気吹出部
３９    換気用吹出部
４      床下空間
５      床上空間
５１    １階居室空間（１階部分の空間）
５２    ２階居室空間（上階部分の空間）
５３    階段スペース（共有空間）
５１ａ  ドア（出入口）
５２ａ  ドア（出入口）
６１    ドアの隙間（１階換気空調用排気口）
６２    ドアの隙間（上階換気空調用排気口）
７１    ダクト
７２    ダクト
７３    ダクト
７４    ダクト
７５    ダクト
７６    ダクト
７７    ダクト
７８    ダクト
８      ファン（強制吹出手段）
９      仕切り材
９０    仕切り材
１０    外気吸入口
１１    内気吐出口
１２    給気口
１３    別の給気口
１４    床下空調用排気口
１５    上階給気口
１６    換気用排気口
１７    空調用排気口
１８    基礎断熱材
１９    フィルターボックス（空気清浄化手段）
２０Ａ  分岐チャンバ
２０Ｂ  分岐チャンバ
【図１】
0005525312.tif 000002
【図２】
0005525312.tif 000003
【図３】
0005525312.tif 000004
【図４】
0005525312.tif 000005
【図５】
0005525312.tif 000006
【図７】
0005525312.tif 000007
【図８】
0005525312.tif 000008
【図６】
0005525312.tif 000009